(57)【要約】【課題】鋭利なマニュアルキー先端を収納できるとともに使用時には容易な突出が可能となり、所持品を増やすこともなく、しかも、携帯機器から分離されることによる紛失の虞もない携帯機器の合鍵装備構造を提供する。【解決手段】電子錠装置に対し、非接触で自動施解錠を行う電子キーとしての機能を備えた携帯機器１００の本体ケース１１に、電子キーに対応する手動のマニュアルキー１３を、本体ケース１１の外形から突出し且つ本体ケース１１の外形内に収容するように本体ケース１１に対し相対移動自在に固定した。そして、マニュアルキー１３は、例えば基部１５を、支持軸１７を介して本体ケース１１に回動自在に固定することができる。【選択図】      図１
2008075423.tif 000002
【特許請求の範囲】
【請求項１】
電子錠装置に対し、非接触で自動施解錠を行う電子キーとしての機能を備えた携帯機器の本体ケースに、前記電子キーに対応する合鍵である手動のマニュアルキーを、前記本体ケースの外形から突出し且つ前記本体ケースの外形内に収容するように前記本体ケースに対し相対移動自在に固定したことを特徴とする携帯機器の合鍵装備構造。
【請求項２】
前記マニュアルキーの基部が、支持軸を介して前記本体ケースに回動自在に固定されたことを特徴とする請求項１記載の携帯機器の合鍵装備構造。
【請求項３】
前記本体ケースが、ヒンジ軸を介して折り畳み可能となった上筐体と、下筐体とからなり、
前記支持軸が、前記ヒンジ軸と同軸に配設されたことを特徴とする請求項２記載の携帯機器の合鍵装備構造。
【請求項４】
前記本体ケースに、前記マニュアルキーの長手方向に沿った細長の収納空間が設けられ、
該収納空間の長手方向一端が、前記本体ケースの表面に開口部となって開口され、
前記収納空間には、該開口部から先端が突出可能に前記マニュアルキーが収容され、
前記本体ケースには、前記収納空間に沿うガイド溝が穿設され、
該ガイド溝には、前記マニュアルキーの基部に固定され該マニュアルキーの押し出し及び収容操作を可能とする操作ボタンが係合されたことを特徴とする請求項１記載の携帯機器の合鍵装備構造。
【請求項５】
前記本体ケースが、本体筐体と、該本体筐体の表面に着脱自在に固定される外装ケースとからなり、
前記支持軸が、前記外装ケースに設けられたことを特徴とする請求項２記載の携帯機器の合鍵装備構造。
【請求項６】
前記本体ケースが、本体筐体と、該本体筐体の表面に着脱自在に固定される外装ケースとからなり、
前記収納空間と、前記開口部と、前記ガイド溝とが、前記外装ケースに設けられたことを特徴とする請求項４記載の携帯機器の合鍵装備構造。
【請求項７】
前記本体ケースが、本体筐体と、該本体筐体の表面に着脱自在に固定される外装パネルとからなり、
前記支持軸が、前記外装パネルに設けられたことを特徴とする請求項２記載の携帯機器の合鍵装備構造。
【請求項８】
前記本体ケースが、本体筐体と、該本体筐体の表面に着脱自在に固定される外装パネルとからなり、
前記収納空間と、前記開口部と、前記ガイド溝とが、前記外装パネルに設けられたことを特徴とする請求項４記載の携帯機器の合鍵装備構造。
【発明の詳細な説明】
【技術分野】
【０００１】
本発明は、電子錠装置に対し、非接触で自動施解錠を行う電子キーとしての機能を備えた携帯機器に、合鍵であるマニュアルキーを装備するための携帯機器の合鍵装備構造に関する。
【背景技術】
【０００２】
携帯機器には電子錠装置に対し、非接触で自動施解錠を行う電子キーとしての機能を備えたものがある。この種の携帯機器としては、携帯電話機、ＰＨＳ、スマートフォン、ポケットベル、ＰＤＡ（携帯情報端末）などが挙げられる。非接触の通信としては、電波や電磁波、赤外線など種々あるが、特に、携帯電話機は、個人を特定する情報の記憶が容易であり、且つ電波による送受信を基本機能として有することから、非接触での認証制御による自動施解錠用の電子キーとして好適となる。また、この種の電子錠装置としては、扉などに設けられ、携帯電話機から送出される認証信号を直接受信することにより、施解錠動作するもの、或いは携帯電話機からインターネットなどの通信網を介して個人情報を管理システムに通知し、当該管理システムにより発行される電子キーを用いて、利用しようとする電子錠装置を施解錠するものなどが挙げられる。
【０００３】
このような電子キーとしての機能を付与した携帯機器によれば、例えば施錠状態の扉に到達する前に、遠隔解錠操作が可能となり、従来、施錠扉に到達した後に行っていた合鍵挿入による解錠操作時間を省略して、施錠扉に対して、従来より短時間でのスムースな通過を可能とすることができる。
【特許文献１】特開２００４−１９１４８号公報
【特許文献２】特開２００１−４６１３５号公報
【発明の開示】
【発明が解決しようとする課題】
【０００４】
ところが、携帯電話機などの携帯機器は、内蔵電池により送受信が駆動されるため、万が一電池ぎれが発生すれば、認証信号などの送受信が行えなくなり、電子キーとしての機能、すなわち、電子錠装置の施解錠が不能となる。また、錠側においても、停電などが起きた場合には、送受信が行えず施解錠が不能となり、特に錠側の電源を利用して電磁誘導での信号の送受を行う場合には、携帯機器側の電池残量に関わらず施解錠が不能となる問題が発生する。
通常、上述の電子錠装置は、このような電池ぎれに対応可能となるように、合鍵（マニュアルキー）による手動の施解錠機構を備えている。したがって、マニュアルキーを用いれば、通常の操作、すなわち合鍵の挿入，回転操作による施解錠が可能となる。
【０００５】
しかしながら、マニュアルキーを所持することは、所持品の数が増え、利便性が低下する。また、特許文献１に開示されるように、特に、携帯電話機の場合には、取り付けられたストラップに、合鍵を収納、又は吊り下げるよう構成したものもあるが、単に別体のマニュアルキーを収納するのみでは、収納部からの脱落による紛失の虞がある。また、容易な取り出しができず、収納も煩雑となる。さらに、特許文献２に開示されるように、合鍵先端を露出させたままで吊持するものでは、取り出し難い不便や収納の煩雑さからは開放されるものの、携帯機器に傷をつけ易く、場合によっては（転倒時など）身体に対しても危険を生じさせる虞があった。
【０００６】
本発明は上記状況に鑑みてなされたもので、鋭利なマニュアルキー先端を収納できるとともに使用時には容易な突出が可能となり、所持品を増やすこともなく、しかも、携帯機器から分離されることによる紛失の虞もない携帯機器の合鍵装備構造を提供することを目的とする。
【課題を解決するための手段】
【０００７】
次に、上記の課題を解決するための手段を、実施の形態に対応する図面を参照して説明する。
本発明の請求項１記載の携帯機器の合鍵装備構造は、電子錠装置に対し、非接触で自動施解錠を行う電子キーとしての機能を備えた携帯機器１００の本体ケース１１に、前記電子キーに対応する合鍵である手動のマニュアルキー１３を、前記本体ケース１１の外形から突出し且つ前記本体ケース１１の外形内に収容するように前記本体ケース１１に対し相対移動自在に固定したことを特徴とする。
【０００８】
この携帯機器の合鍵装備構造では、手動の合鍵であるマニュアルキー１３の不使用時には、マニュアルキー１３が本体ケース１１の外形内に収容され、鋭利なマニュアルキー先端１３ａが突出することによる安全性の低下が防止される。一方、マニュアルキー１３の使用時には、マニュアルキー１３が本体ケース１１に対して相対移動されて、本体ケース１１の外形から突出され、電子錠装置に設けられるマニュアル施解錠機構の鍵穴にマニュアルキー１３が挿入可能となり、すなわち手動で施解錠が行える。
【０００９】
請求項２記載の携帯機器の合鍵装備構造は、前記マニュアルキー１３の基部１５が、支持軸１７を介して前記本体ケース１１に回動自在に固定されたことを特徴とする。
【００１０】
この携帯機器の合鍵装備構造では、非回転時には、マニュアルキー先端１３ａが本体ケース１１の外形から突出することなく収容され、支持軸１７を中心にマニュアルキー１３が回転されることで、マニュアルキー先端１３ａが本体ケース１１の外形から突出される。
【００１１】
請求項３記載の携帯機器の合鍵装備構造は、前記本体ケース１１が、ヒンジ軸１９を介して折り畳み可能となった上筐体２１と、下筐体２３とからなり、
前記支持軸１７が、前記ヒンジ軸１９と同軸に配設されたことを特徴とする。
【００１２】
この携帯機器の合鍵装備構造では、支持軸１７が、ヒンジ軸１９と同時に配設され、限られた携帯機器１００の表面積に、新たな支持軸１７を設けるための専用スペースの確保が不要となる。
【００１３】
請求項４記載の携帯機器の合鍵装備構造は、前記本体ケース１１に、前記マニュアルキー１３の長手方向に沿った細長の収納空間２７が設けられ、
該収納空間２７の長手方向一端が、前記本体ケース１１の表面に開口部２９となって開口され、
前記収納空間２７には、該開口部２９から先端１３ａが突出可能に前記マニュアルキー１３が収容され、
前記本体ケース１１には、前記収納空間２７に沿うガイド溝３１が穿設され、
該ガイド溝３１には、前記マニュアルキー１３の基部１５に固定され該マニュアルキー１３の押し出し及び収容操作を可能とする操作ボタン３３が係合されたことを特徴とする。
【００１４】
この携帯機器の合鍵装備構造では、非押し出し時には、マニュアルキー先端１３ａが本体ケース１１の外形から突出することなく収納空間２７に収容され、操作ボタン３３を介してマニュアルキー１３がガイド溝３１に沿って移動されることで、マニュアルキー先端１３ａが開口部２９から押し出されて、本体ケース１１の外形から突出される。
【００１５】
請求項５記載の携帯機器の合鍵装備構造は、前記本体ケース１１が、本体筐体４１と、該本体筐体４１の表面４１ａに着脱自在に固定される外装ケース４３とからなり、
前記支持軸１７が、前記外装ケース４３に設けられたことを特徴とする。
【００１６】
この携帯機器の合鍵装備構造では、本体ケース１１を保護するための外装ケース４３に、マニュアルキー１３が突出可能に収納され、携帯機器１００の本体筐体４１に、マニュアルキー装備のための構成を増設する必要がなく、外装ケース４３を利用して回動移動可能なマニュアルキー１３が付設可能となる。
【００１７】
請求項６記載の携帯機器の合鍵装備構造は、前記本体ケース１１が、本体筐体４１と、該本体筐体４１の表面４１ａに着脱自在に固定される外装ケース４３とからなり、
前記収納空間２７と、前記開口部２９と、前記ガイド溝３１とが、前記外装ケース４３に設けられたことを特徴とする。
【００１８】
この携帯機器の合鍵装備構造では、本体ケース１１を保護するための外装ケース４３に、マニュアルキー１３が突出可能に収納され、携帯機器１００の本体筐体４１に、マニュアルキー装備のための構成を増設する必要がなく、外装ケース４３を利用してスライド可能なマニュアルキー１３が付設可能となる。
【００１９】
請求項７記載の携帯機器の合鍵装備構造は、前記本体ケース１１が、本体筐体４１と、該本体筐体４１の表面４１ａに着脱自在に固定される外装パネル４７とからなり、
前記支持軸１７が、前記外装パネル４７に設けられたことを特徴とする。
【００２０】
この携帯機器の合鍵装備構造では、本体ケース１１に個性的な装飾効果を付与する外装パネル４７に、マニュアルキー１３が突出可能に収納され、携帯機器１００の本体筐体４１に、マニュアルキー装備のための構成を増設する必要がなく、外装パネル４７を利用して回動移動可能なマニュアルキー１３が付設可能となる。
【００２１】
請求項８記載の携帯機器の合鍵装備構造は、前記本体ケース１１が、本体筐体４１と、該本体筐体４１の表面４１ａに着脱自在に固定される外装パネル４７とからなり、
前記収納空間２７と、前記開口部２９と、前記ガイド溝３１とが、前記外装パネル４７に設けられたことを特徴とする。
【００２２】
この携帯機器の合鍵装備構造では、本体ケース１１に個性的な装飾効果を付与する外装パネル４７に、マニュアルキー１３が突出可能に収納され、携帯機器１００の本体筐体４１に、マニュアルキー装備のための構成を増設する必要がなく、外装パネル４７を利用してスライド可能なマニュアルキー１３が付設可能となる。
【発明の効果】
【００２３】
本発明に係る請求項１記載の携帯機器の合鍵装備構造によれば、電子錠装置に対し、非接触で自動施解錠を行う電子キーとしての機能を備えた携帯機器の本体ケースに、手動の合鍵であるマニュアルキーを、本体ケースの外形から突出し且つ本体ケースの外形内に収容するように本体ケースに対し相対移動自在に固定したので、マニュアルキーの不使用時には、マニュアルキーを本体ケースの外形内に収容して、鋭利なマニュアルキー先端が突出することによる安全性の低下を防止でき、また、マニュアルキーの使用時には、マニュアルキーを本体ケースに対して相対移動させることで、本体ケースの外形から突出させ、電子錠装置に設けられるマニュアル施解錠機構の鍵穴にマニュアルキーを挿入して、手動による施解錠を容易に行うことができる。この結果、鋭利なマニュアルキー先端を安全に収納できるとともに使用時には容易に突出でき、所持品を増やすこともなく、しかも、マニュアルキーが携帯機器から分離・脱落されることによる紛失も防止することができる。
【００２４】
請求項２記載の携帯機器の合鍵装備構造によれば、マニュアルキーの基部が、支持軸を介して本体ケースに回動自在に固定されたので、非回転時には、マニュアルキー先端を本体ケースの外形から突出させることなく収容でき、安全性が確保できるとともに、支持軸を中心にマニュアルキーを回転することで、マニュアルキー先端を本体ケースの外形から突出させて、マニュアルキーを容易に使用可能状態にできる。
【００２５】
請求項３記載の携帯機器の合鍵装備構造によれば、本体ケースが、ヒンジ軸を介して折り畳み可能となった上筐体と、下筐体とからなり、支持軸が、ヒンジ軸と同軸に配設されたので、支持軸をヒンジ軸と同時に配設することで、限られた携帯機器の表面積に、新たな支持軸を設けるための専用スペースを確保する必要が無くなり、回動自在なマニュアルキーの付設を容易にすることができる。
【００２６】
請求項４記載の携帯機器の合鍵装備構造によれば、本体ケースに、開口部を有しマニュアルキーを収納する収納空間が設けられるとともに、この収納空間に沿うガイド溝が穿設され、ガイド溝には、マニュアルキーの基部に固定された操作ボタンが係合されたので、非押し出し時には、マニュアルキー先端を本体ケースの外形から突出させることなく収納空間に収容でき、安全性が確保できるとともに、操作ボタンを介してマニュアルキーをガイド溝に沿って移動させることで、マニュアルキー先端を開口部から押し出して、本体ケースの外形から突出させ、マニュアルキーを容易に使用可能状態にできる。
【００２７】
請求項５記載の携帯機器の合鍵装備構造によれば、本体ケースが、本体筐体と、本体筐体の表面に着脱自在に固定される外装ケースとからなり、支持軸が、外装ケースに設けられたので、非回転時には、マニュアルキー先端を外装ケースの外形から突出させることなく収容でき、安全性が確保できるとともに、支持軸を中心にマニュアルキーを回転することで、マニュアルキー先端を外装ケースの外形から突出させて、マニュアルキーを容易に使用可能状態にできる。したがって、本体ケースを保護するための外装ケースに、マニュアルキーを突出可能に収納でき、携帯機器の本体筐体に、マニュアルキー装備のための構成を増設する必要がなく、外装ケースを利用して回動移動可能なマニュアルキーを携帯機器に簡便に付設することができる。
【００２８】
請求項６記載の携帯機器の合鍵装備構造によれば、本体ケースが、本体筐体と、本体筐体の表面に着脱自在に固定される外装ケースとからなり、収納空間と、開口部と、ガイド溝とが、外装ケースに設けられたので、非押し出し時には、マニュアルキー先端を外装ケースの外形から突出させることなく収納空間に収容でき、安全性が確保できるとともに、操作ボタンを介してマニュアルキーをガイド溝に沿って移動させることで、マニュアルキー先端を開口部から押し出して、外装ケースの外形から突出させ、マニュアルキーを容易に使用可能状態にできる。したがって、本体ケースを保護するための外装ケースに、マニュアルキーを突出可能に収納でき、携帯機器の本体筐体に、マニュアルキー装備のための構成を増設する必要がなく、外装ケースを利用してスライド可能なマニュアルキーを携帯機器に簡便に付設することができる。
【００２９】
請求項７記載の携帯機器の合鍵装備構造によれば、本体ケースが、本体筐体と、本体筐体の表面に着脱自在に固定される外装パネルとからなり、支持軸が、外装パネルに設けられたので、非回転時には、マニュアルキー先端を外装パネルの外形から突出させることなく収容でき、安全性が確保できるとともに、支持軸を中心にマニュアルキーを回転することで、マニュアルキー先端を外装パネルの外形から突出させて、マニュアルキーを容易に使用可能状態にできる。したがって、本体ケースに個性的な装飾効果を付与する外装パネルに、マニュアルキーを突出可能に収納でき、携帯機器の本体筐体に、マニュアルキー装備のための構成を増設する必要がなく、外装パネルを利用して回動移動可能なマニュアルキーを携帯機器に簡便に付設することができる。また、外装パネルを付け替えることで、マニュアルキーの装備又は非装備をＴＰＯに合わせて選択することができる。
【００３０】
請求項８記載の携帯機器の合鍵装備構造によれば、本体ケースが、本体筐体と、本体筐体の表面に着脱自在に固定される外装パネルとからなり、収納空間と、開口と、ガイド溝とが、外装パネルに設けられたので、非押し出し時には、マニュアルキー先端を外装パネルの外形から突出させることなく収納空間に収容でき、安全性が確保できるとともに、操作ボタンを介してマニュアルキーをガイド溝に沿って移動させることで、マニュアルキー先端を開口部から押し出して、外装パネルの外形から突出させ、マニュアルキーを容易に使用可能状態にできる。したがって、本体ケースに個性的な装飾効果を付与する外装パネルに、マニュアルキーを突出可能に収納でき、携帯機器の本体筐体に、マニュアルキー装備のための構成を増設する必要がなく、外装パネルを利用してスライド可能なマニュアルキーを携帯機器に簡便に付設することができる。また、外装パネルを付け替えることで、マニュアルキーの装備又は非装備をＴＰＯに合わせて選択することができる。
【発明を実施するための最良の形態】
【００３１】
以下、本発明に係る携帯機器の合鍵装備構造の好適な実施の形態を図面を参照して詳細に説明する。
図１は本発明に係る合鍵装備構造の第１の実施の形態による携帯電話機のマニュアルキー収納状態を（ａ）、マニュアルキー突出状態を（ｂ）に表した外観斜視図、図２は第１の実施の形態の変形例による携帯電話機のマニュアルキー収納状態を（ａ）、マニュアルキー突出状態を（ｂ）に表した外観斜視図である。
本実施の形態による携帯機器の合鍵装備構造は、不図示の電子錠装置に対し、非接触で自動施解錠を行う電子キーとしての機能を備えた携帯機器の本体ケース１１に、電子キーに対応する合鍵である手動のマニュアルキー１３を、本体ケース１１の外形から突出し且つ本体ケースの外形内に収容するように本体ケース１１に対し相対移動自在に固定したことを特徴としている。
【００３２】
ここで、携帯機器としては、例えば携帯電話機、ＰＨＳ、スマートフォン、ポケットベル、ＰＤＡ（携帯情報端末）などが挙げられる。なお、電子錠装置としては、携帯機器から信号が送受信可能な構成、すなわち携帯機器側が電池など電源を持つことで信号の送受が直接行われるものでもよく、或いは、携帯機器側には電源を不要とする構造で錠側からの電磁誘導により電源と信号とを重畳して得て、信号の送受が行われる構成としても良い。以下の各実施の形態では、携帯機器が携帯電話機１００である場合を例に説明する。
【００３３】
マニュアルキー１３は、基部１５が、支持軸１７を介して本体ケース１１に回動自在に固定されている。携帯電話機１００は、本体ケース１１が、ヒンジ軸１９を介して折り畳み可能となった上筐体２１と、下筐体２３とからなる。本実施の形態において、支持軸１７は、ヒンジ軸１９と同軸に配設されている。すなわち、図１に示すように、ヒンジ軸１９の左右いずれか一方の端面に、支持軸１７が連設され、マニュアルキー１３は、携帯電話機１００の側面１１ａと平行に回動可能となっている。また、下筐体２３の側面にはマニュアルキー１３と略同一外形、及び厚みと同一深さの収容凹部２５が形成され、収容凹部２５はマニュアルキー１３を外形から突出させないように収容可能としている。
【００３４】
したがって、図１（ａ）に示すように、非回転時には、マニュアルキー先端１３ａが本体ケース１１の外形から突出することなく収容され、支持軸１７を中心にマニュアルキー１３が回転されることで、図１（ｂ）に示すように、マニュアルキー先端１３ａが本体ケース１１の外形から突出される。このように、マニュアルキー１３の基部１５が、支持軸１７を介して本体ケース１１に回動自在に固定されたので、非回転時には、安全性が確保できるとともに、支持軸１７を中心にマニュアルキー１３を回転することで、マニュアルキー１３を容易に使用可能状態にできる。
【００３５】
また、支持軸１７が、ヒンジ軸１９と同軸に配設されたので、支持軸１７をヒンジ軸１９と同時に配設することで、限られた携帯電話機１００の表面積に、新たな支持軸１７を設けるための専用スペースを確保する必要が無くなり、回動自在なマニュアルキー１３の付設を、他のキーボタン等の配置の兼ね合いを考慮することなく、容易にすることができる。
【００３６】
ここで、電子錠装置としては、扉などに設けられ、携帯電話機１００から送出される認証信号を直接受信することにより、施解錠動作するもの、或いは携帯電話機１００からインターネットなどの通信網を介して個人情報を管理システムに通知し、当該管理システムにより発行される電子キーを用いて、利用しようとする電子錠装置を施解錠するものなどが挙げられる。
【００３７】
このように、第１の実施の形態による合鍵装備構造によれば、電子錠装置に対し、非接触で自動施解錠を行う電子キーとしての機能を備えた携帯電話機１００の本体ケース１１に、マニュアルキー１３を、本体ケース１１の外形から突出し且つ本体ケース１１の外形内に収容するように本体ケース１１に対し相対移動自在に固定したので、マニュアルキー１３の不使用時には、マニュアルキー１３を本体ケース１１の外形内に収容して、鋭利なマニュアルキー先端１３ａが突出することによる安全性の低下を防止でき、また、マニュアルキー１３の使用時には、マニュアルキー１３を本体ケース１１に対して相対移動させることで、本体ケース１１の外形から突出させ、電子錠装置に設けられるマニュアル施解錠機構の鍵穴にマニュアルキーを挿入して、手動による施解錠を容易に行うことができる。この結果、鋭利なマニュアルキー先端１３ａを安全に収納できるとともに使用時には容易に突出でき、所持品を増やすこともなく、しかも、マニュアルキー１３が携帯電話機１００から分離されることによる紛失も防止することができる。
【００３８】
なお、上記の構成では、支持軸１７をヒンジ軸１９と同軸に配設した場合を例に説明したが、支持軸１７を備えた合鍵装備構造は、図２に示すように、支持軸１７を、ヒンジ軸１９と直交方向に配設するものであってもよい。この場合、本体ケース１１の最大面積部分である上筐体２１の外面２１ａ、或いは下筐体２３の外面２３ａが利用できるので、比較的幅広のマニュアルキー１３の収納も可能にすることができる。
【００３９】
次に、本発明に係る合鍵装備構造の第２の実施の形態を説明する。
図３は第２の実施の形態による携帯電話機のマニュアルキー収納状態を（ａ）、マニュアルキー突出状態を（ｂ）に表した外観斜視図、図４は第２の実施の形態の変形例による携帯電話機のマニュアルキー収納状態を（ａ）、マニュアルキー突出状態を（ｂ）に表した外観斜視図である。なお、以下の各実施の形態において、図１に示した部材と同等の部材には同一の符号を付し、重複する説明は省略するものとする。
この実施の形態による合鍵装備構造は、本体ケース１１に、マニュアルキー１３の長手方向に沿った細長の収納空間２７が設けられている。収納空間２７の長手方向一端は、本体ケース１１の表面（上筐体２１の外面２１ａ）に開口部２９となって開口されている。
【００４０】
収納空間２７にはマニュアルキー１３が収容され、マニュアルキー１３は収納空間２７の長手方向へスライド移動されることで図３（ｂ）に示すように、開口部２９から先端１３ａが突出可能となっている。また、本体ケース１１には、収納空間２７に沿うガイド溝３１が穿設される。ガイド溝３１には、マニュアルキー１３の基部１５に固定されマニュアルキー１３の押し出し及び収容操作を可能とする操作ボタン３３が係合されている。操作ボタン３３は、マニュアルキー１３の収納空間２７からの脱落も規制するストッパとしての働きも有している。
【００４１】
したがって、この合鍵装備構造によれば、本体ケース１１に、開口部２９を有しマニュアルキー１３を収納する収納空間２７が設けられるとともに、この収納空間２７に沿うガイド溝３１が穿設され、ガイド溝３１には、マニュアルキー１３の基部１５に固定された操作ボタン３３が係合されたので、非押し出し時には、図３（ａ）に示すように、マニュアルキー先端１３ａを本体ケース１１の外形から突出させることなく収納空間２７に収容でき、安全性が確保できるとともに、操作ボタン３３を介してマニュアルキー１３をガイド溝３１に沿って移動させることで、図３（ｂ）に示すように、マニュアルキー先端１３ａを開口部２９から押し出して、本体ケース１１の外形から突出させ、マニュアルキー１３を容易に使用可能状態にできる。
【００４２】
なお、第２の実施の形態による合鍵装備構造は、ガイド溝３１、操作ボタン３３を省略することもできる。この場合、図４（ａ）に示すように、マニュアルキー先端１３ａに爪を引っかける引き出し用溝３５を凹設する。また、上筐体２１の外面２１ａにはこのマニュアルキー先端１３ａに設けた引き出し用溝３５を表出させる切欠３７を形成する。これにより、不使用時には、図４（ａ）に示すように、マニュアルキー先端１３ａを収納空間２７に収容でき、安全性が確保できるとともに、使用時には引き出し用溝３５に爪を掛けてマニュアルキー１３を引き出すことで、図４（ｂ）に示すように、マニュアルキー先端１３ａを開口部２９から引き出して、本体ケース１１の外形から突出させ、マニュアルキー１３を容易に使用可能状態にできる。このような構成の場合、本体ケース１１にガイド溝３１を形成しなくてもよいので、本体ケース１１の強度を低下させることがなく、また、意匠性を備えた外形とすることができる。
【００４３】
次に、本発明に係る合鍵装備構造の第３の実施の形態を説明する。
図５は第３の実施の形態による携帯電話機のマニュアルキー収納状態を（ａ）、マニュアルキー突出状態を（ｂ）に表した外観斜視図である。
この実施の形態による携帯機器の合鍵装備構造は、本体ケース１１が、本体筐体４１（図６参照）と、この本体筐体４１の表面４１ａを覆い着脱自在に固定される外装ケース４３とからなり、支持軸１７が、外装ケース４３に設けられている。本実施の形態では、支持軸１７が、ヒンジ軸１９に直交する方向で、外装ケース４３の外面４３ａに設けられている。
【００４４】
この第３の実施の形態による合鍵装備構造によれば、本体ケース１１が、本体筐体４１と、本体筐体４１の表面４１ａに着脱自在に固定される外装ケース４３とからなり、支持軸１７が、この外装ケース４３に設けられたので、非回転時には、図５（ａ）に示すように、マニュアルキー先端１３ａを外装ケース４３の外形から突出させることなく収容でき、安全性が確保できるとともに、支持軸１７を中心にマニュアルキー１３を回転することで、図５（ｂ）に示すように、マニュアルキー先端１３ａを外装ケース４３の外形から突出させて、マニュアルキー１３を容易に使用可能状態にできる。したがって、本体ケース１１を保護するための外装ケース４３に、マニュアルキー１３を突出可能に収納でき、携帯電話機１００の本体筐体４１に、マニュアルキー装備のための構成を増設する必要がなく、外装ケース４３を利用して回動移動可能なマニュアルキー１３を携帯電話機１００に簡便に付設することができる。そして、このような構成とされれば、携帯電話機１００に、後から電子錠の機能を備えさせるような場合に有効であり、当初は電話機としてのみの使用状態であったものを、電子錠の機能を追加し、且つマニュアルキー１３を付加させることが可能となる。また、錠装置を交換した場合などにも対応が可能となる。
【００４５】
次に、本発明に係る合鍵装備構造の第４の実施の形態を説明する。
図６は第４の実施の形態による携帯電話機のマニュアルキー収納状態を（ａ）（ｂ）、マニュアルキー突出状態を（ｃ）に表した外観斜視図である。
この実施の形態による合鍵装備構造は、本体ケース１１が、本体筐体４１と、本体筐体４１の表面４１ａに着脱自在に固定される外装ケース４３とからなる。そして、上記した収納空間２７と、開口部２９と、ガイド溝３１とが、外装ケース４３に設けられている。また、ガイド溝３１には、マニュアルキー１３の基部１５に固定された操作ボタン３３が係合されている。なお、本実施の形態の外装ケース４３は、下方に分割された下側の外装ケース４５を備え、上下二つの外装ケース４３，４５によって本体筐体４１の外周全てを覆うようになっている。携帯電話機１００は、外装ケース４３，４５によって覆われた状態で、ヒンジ軸１９を介して上筐体２１と下筐体２３とが展開・折り畳み自在となる。
【００４６】
この合鍵装備構造によれば、本体ケース１１が、本体筐体４１と、本体筐体４１の表面４１ａに着脱自在に固定される外装ケース４３とからなり、収納空間２７と、開口部２９と、ガイド溝３１とが、外装ケース４３に設けられたので、非押し出し時には、図６（ｂ）に示すように、マニュアルキー先端１３ａを外装ケース４３の外形から突出させることなく収納空間２７に収容でき、安全性が確保できるとともに、操作ボタン３３を介してマニュアルキー１３をガイド溝３１に沿って移動させることで、図６（ｃ）に示すように、マニュアルキー先端１３ａを開口部２９から押し出して、外装ケース４３の外形から突出させ、マニュアルキー１３を容易に使用可能状態にできる。そして、このような構成とされれば、携帯電話機１００に、後から電子錠の機能を備えさせるような場合に有効であり、当初は電話機としてのみの使用状態であったものを、電子錠の機能を追加し、且つマニュアルキー１３を付加させることが可能となる。また、錠装置を交換した場合などにも対応が可能となる。
【００４７】
したがって、本体ケース１１を保護するための外装ケース４３に、マニュアルキー１３を突出可能に収納でき、携帯電話機１００の本体筐体４１に、マニュアルキー装備のための構成を増設する必要がなく、外装ケース４３を利用してスライド可能なマニュアルキー１３を携帯電話機１００に簡便に付設することができる。
【００４８】
次に、本発明に係る合鍵装備構造の第５の実施の形態を説明する。
図７は第５の実施の形態による携帯電話機のマニュアルキー収納状態を（ａ）（ｂ）、マニュアルキー突出状態を（ｃ）に表した外観斜視図である。
この実施の形態による携帯機器の合鍵装備構造は、本体ケース１１が、本体筐体４１と、本体筐体４１の表面４１ａに着脱自在に固定される外装パネル４７とからなる。
【００４９】
外装パネル４７は、複数のネジ４９によって着脱自在に取付けられるようになっている。すなわち、外装パネル４７の４角には挿通孔４７ａが形成されているとともに、本体筐体４１の表面４１ａにはネジ穴５１が形成されており、外装パネル４７を本体筐体４１の表面４１ａに取付けて、挿通孔４７ａを通してネジ穴５１にネジ４９を螺合することにより、外装パネル４７が本体筐体４１の表面４１ａに固定される。
【００５０】
この外装パネル４７には、上記の支持軸１７と、収容凹部２５が設けられている。
【００５１】
したがって、この合鍵装備構造によれば、本体ケース１１に個性的な装飾効果を付与する外装パネル４７に、マニュアルキー１３が突出可能に収納され、携帯電話機１００の本体筐体４１に、マニュアルキー装備のための構成を増設する必要がなく、外装パネル４７を利用して回動移動可能なマニュアルキー１３を携帯電話機１００に簡便に付設することができる。また、外装パネル４７を付け替えることで、マニュアルキー１３の装備又は非装備をＴＰＯに合わせて選択することができる。
【００５２】
次に、本発明に係る合鍵装備構造の第６の実施の形態を説明する。
図８は第６の実施の形態による携帯電話機のマニュアルキー収納状態を（ａ）、マニュアルキー突出状態を（ｂ）に表した外観斜視図である。
この実施の形態による携帯機器の合鍵装備構造は、本体ケース１１が、本体筐体４１と、本体筐体４１の表面４１ａに着脱自在に固定される外装パネル４７とからなる。そして、外装パネル４７には上記同様の収納空間２７と、開口部２９と、ガイド溝３１とが設けられている。ガイド溝３１には、マニュアルキー１３の基部１５に固定された操作ボタン３３が係合されている。
【００５３】
この合鍵装備構造によれば、非押し出し時には、図８（ａ）に示すように、マニュアルキー先端１３ａを外装パネル４７の外形から突出させることなく収納空間２７に収容でき、安全性が確保できるとともに、操作ボタン３３を介してマニュアルキー１３をガイド溝３１に沿って移動させることで、図８（ｂ）に示すように、マニュアルキー先端１３ａを開口部２９から押し出して、外装パネル４７の外形から突出させ、マニュアルキー１３を容易に使用可能状態にできる。
【００５４】
これにより、本体ケース１１に個性的な装飾効果を付与する外装パネル４７に、マニュアルキー１３を突出可能に収納でき、携帯電話機１００の本体筐体４１に、マニュアルキー装備のための構成を増設する必要がなく、外装パネル４７を利用してスライド可能なマニュアルキー１３を携帯電話機１００に簡便に付設することができる。また、外装パネル４７を付け替えることで、マニュアルキー１３の装備又は非装備をＴＰＯに合わせて選択することもできる。
【図面の簡単な説明】
【００５５】
【図１】本発明に係る合鍵装備構造の第１の実施の形態による携帯電話機のマニュアルキー収納状態を（ａ）、マニュアルキー突出状態を（ｂ）に表した外観斜視図である。
【図２】第１の実施の形態の変形例による携帯電話機のマニュアルキー収納状態を（ａ）、マニュアルキー突出状態を（ｂ）に表した外観斜視図である。
【図３】第２の実施の形態による携帯電話機のマニュアルキー収納状態を（ａ）、マニュアルキー突出状態を（ｂ）に表した外観斜視図である。
【図４】第２の実施の形態の変形例による携帯電話機のマニュアルキー収納状態を（ａ）、マニュアルキー突出状態を（ｂ）に表した外観斜視図である。
【図５】第３の実施の形態による携帯電話機のマニュアルキー収納状態を（ａ）、マニュアルキー突出状態を（ｂ）に表した外観斜視図である。
【図６】第４の実施の形態による携帯電話機のマニュアルキー収納状態を（ａ）（ｂ）、マニュアルキー突出状態を（ｃ）に表した外観斜視図である。
【図７】第５の実施の形態による携帯電話機のマニュアルキー収納状態を（ａ）（ｂ）、マニュアルキー突出状態を（ｃ）に表した外観斜視図である。
【図８】第６の実施の形態による携帯電話機のマニュアルキー収納状態を（ａ）、マニュアルキー突出状態を（ｂ）に表した外観斜視図である。
【符号の説明】
【００５６】
１１…本体ケース
１３…マニュアルキー
１５…マニュアルキーの基部
１７…支持軸
１９…ヒンジ軸
２１…上筐体
２３…下筐体
２７…収納空間
２９…開口部
３１…ガイド溝
３３…操作ボタン
４１…本体筐体
４３…外装ケース
４７…外装パネル
１００…携帯機器（携帯電話機）
【図１】
2008075423.tif 000003
【図２】
2008075423.tif 000004
【図３】
2008075423.tif 000005
【図４】
2008075423.tif 000006
【図５】
2008075423.tif 000007
【図６】
2008075423.tif 000008
【図７】
2008075423.tif 000009
【図８】
2008075423.tif 000010